(57)【要約】【課題】電子メールをさらに確実に送信できるように改良された伝送システムを提供することを目的とする。【解決手段】第１の通信装置は、複数の第２の通信装置それぞれに対して、電子メールに含まれる１つ以上の宛先のアドレスを送信する宛先アドレス送信手段と、送信した宛先のアドレスに応じた応答を返した複数の第２の通信装置それぞれに対して、電子メールを送信する第１の送信手段とを有し、第２の通信装置は、第１の通信装置から受信した宛先のアドレスが、接続された第２のネットワークに含まれる宛先のアドレスを含むときに、第１の通信装置に応答を返す応答手段と、応答を返したときに、第１の通信装置から受けた電子メールを、接続された第２のネットワークに含まれる宛先に対して送信する第２の送信手段とを有する。【選択図】図３
2010079335.tif 000002
【特許請求の範囲】
【請求項１】
電子メールの送り元を含む第１のネットワークから受けた電子メールを含む伝送データを、通信回線に送信する少なくとも１つの第１の通信装置と、
それぞれ、宛先を含む第２のネットワークに接続され、前記第１の通信装置から前記通信回線を介して受けた伝送データを、前記第２のネットワークに送信する複数の第２の通信装置と
を有する通信システムであって、
前記第１の通信装置は、
前記複数の第２の通信装置それぞれに対して、前記電子メールに含まれる１つ以上の宛先のアドレスを送信する宛先アドレス送信手段と、
前記送信した宛先のアドレスに応じた応答を返した複数の第２の通信装置それぞれに対して、前記電子メールを送信する第１の送信手段と
を有し、
前記第２の通信装置は、
前記第１の通信装置から受信した宛先のアドレスが、前記接続された第２のネットワークに含まれる宛先のアドレスを含むときに、前記第１の通信装置に応答を返す応答手段と、
前記応答を返したときに、前記第１の通信装置から受けた電子メールを、前記接続された第２のネットワークに含まれる宛先に対して送信する第２の送信手段と
を有する
通信システム。
【発明の詳細な説明】
【技術分野】
【０００１】
本発明は、無線通信システムに関する。
【背景技術】
【０００２】
例えば、特許文献１は、無線通信を介して電子メールなどのメッセージのデータを通信するに際して、無線回線における通信効率を向上させることができるメッセージ通信システムを開示する。
【特許文献１】特開２００６−１７４２０５
【発明の開示】
【発明が解決しようとする課題】
【０００３】
本発明は、上述した背景からなされたものであって、電子メールをさらに確実に送信できるように改良された伝送システムを提供することを目的とする。
【課題を解決するための手段】
【０００４】
上記目的のために、本発明にかかる通信システムは、電子メールの送り元を含む第１のネットワーク（２００）から受けた電子メールを含む伝送データを、通信回線（１０）に送信する少なくとも１つの第１の通信装置（２８）と、それぞれ、宛先を含む第２のネットワーク（３００）に接続され、前記第１の通信装置から前記通信回線を介して受けた伝送データを、前記第２のネットワークに送信する複数の第２の通信装置（３０）とを有する通信システムであって、前記第１の通信装置は、前記複数の第２の通信装置それぞれに対して、前記電子メールに含まれる１つ以上の宛先のアドレスを送信する宛先アドレス送信手段（２４６）と、前記送信した宛先のアドレスに応じた応答を返した複数の第２の通信装置それぞれに対して、前記電子メールを送信する第１の送信手段（２６６）とを有し、前記第２の通信装置は、前記第１の通信装置から受信した宛先のアドレスが、前記接続された第２のネットワークに含まれる宛先のアドレスを含むときに、前記第１の通信装置に応答を返す応答手段（３２６）と、前記応答を返したときに、前記第１の通信装置から受けた電子メールを、前記接続された第２のネットワークに含まれる宛先に対して送信する第２の送信手段（３３２）とを有する。
なお、この部分の記載において付された符号は、本願発明の技術的範囲の限定を意図していない。
【発明の効果】
【０００５】
本発明にかかる伝送システムによれば、電子メールをさらに確実に送信できる。
【発明を実施するための最良の形態】
【０００６】
本発明の理解を助けるために、まず、本発明がなされるに至った背景と、本発明の概要とを説明する。
なお、以下、「電子メール」という用語を、単に「メール」と記載する場合がある。
【０００７】
［本発明の背景］
図１（Ａ）は、ＳＭＴＰ（Simple Mail Transfer Protocol）プロトコルによるメール送信処理を例示する通信シーケンス図である。
図１（Ａ）に示すように、ＳＭＴＰプロトコルを用いて、宛先アドレスなどのヘッダ情報およびメール本文のデータなどが含まれたメール本体のデータを送信するためには、メールサーバ間でのやりとりが、複数回行われる。
例えば、図１（Ａ）の例においては、１通のメールを送信する場合に、メールサーバ間で１４回のやりとりが行われる。
【０００８】
図１（Ｂ）は、無線通信を介した場合におけるＳＭＴＰプロトコルによるメール送信処理を例示する通信シーケンス図である。
上記図１（Ａ）に示したＳＭＴＰプロトコルによるメール送信処理を、図１（Ｂ）に示すように、無線通信を介したメール送信処理にそのまま適用することも可能であるが、一般に、無線通信回線は、有線通信回線と比較して、低速であり、通信品質も悪いため、通信時間が長くなってしまう傾向がある。
【０００９】
図１（Ｃ）は、無線装置間では、ＳＭＴＰプロトコルを用いたメールの送受信がなされないメール送信処理を例示する通信シーケンス図である。
図１（Ｃ）に示すように、送信側の無線装置は、メールサーバからＳＭＴＰプロトコルによりメール本体のデータを受信する。
また、送信側の無線装置は、受信したメール本体のデータを、受信側の無線装置間に対して、パケット形式で送信を行う。
つまり、無線装置間では、ＳＭＴＰプロトコルを用いたメールの送受信がなされないため、通信時間を短縮することができる。
【００１０】
図２は、同一メールを複数の無線装置に送信する場合を例示する図であって、
（Ａ）は、同一メールを１通ずつ複数の無線装置に送信する場合を例示し、（Ｂ）は、同一メールを１回で、複数の無線装置に送信する場合を例示する。
同一メールを複数の無線装置に送信する場合には、図１（Ｂ）に示したように、同一メールを１回で、複数の無線装置に送信する場合の方が、図１（Ａ）に示した同一メールを１通ずつ複数の無線装置に送信する場合に比べ、送信時間を短縮することができる。
【００１１】
［本発明の概要］
以下に説明する本発明に係るメール送受信システム１は、図１（Ｃ）に示したように、無線装置間では、ＳＭＴＰプロトコルを用いたメールの送受信がなされないように工夫がなされている。
また、本発明に係るメール送受信システム１は、同一のメールデータ本体を複数の無線装置に送信する場合には、図２（Ｂ）に示したように、１回で、複数の無線装置に送信するように工夫がされ、さらに、再送制御を行うように工夫がなされている。
【００１２】
［メール送受信システム１］
以下、本発明にかかるメール送受信システム１を説明する。
図３は、本発明に係るメール送受信システム１の構成を示す図である。
図３に示すように、メール送受信システム１は、メール送信側ネットワーク２と、メール受信側ネットワーク３−１〜３−ｎ（ｎ≧１；ただし、全てのｎが常に同数を示すとは限らない。ここではｎ＝２を例示）とが、それぞれ無線通信回線１０−１〜１０−ｎ（ｎ＝２を例示）を介して相互に接続されている。
なお、以下、メール受信側ネットワーク３−１〜３−ｎなど、複数ある構成部分のいずれかを示すときには、単に、メール受信側システム３と記載することがある。
また、以下の各図において、実質的に同じ構成部分・処理には、同じ符号が付される。
【００１３】
図３に示したメール送信側ネットワーク２では、メール送信端末２０−１〜２０−ｎと、メールサーバ２２と、制御装置２４とは、ＬＡＮなどのネットワーク２００を介して相互に接続されており、制御装置２４と変復調器２６および変復調器２６と無線送信機２８（第１の通信装置）とは、シリアルに接続されている。
また、図３に示したメール受信側ネットワーク３では、制御装置３４と、メールサーバ３６と、メール受信端末３８−１〜３８−ｎとは、ＬＡＮなどのネットワーク３００を介して相互に接続されており、無線受信機３０（第２の通信装置）と変復調器３２および変復調器３２と制御装置３４とは、シリアルＩ／Ｆにて接続されている。
また、図１に示した送信側の無線装置は、制御装置２４、変復調器２６および無線送信機２８の構成を含む。
また、図１に示した受信側の無線装置は、無線受信機３０、変復調器３２および制御装置３４の構成を含む。
【００１４】
なお、実際には、無線送信機２８および無線受信機３０は、データを受信するための受信機能、および、データを送信するための送信機能の両方を有する無線機であるが、説明の具体化・明確化のために、データの送信を主に行う装置が無線送信機２８であり、データの受信を主に行う装置が無線受信機３０として、説明をする。
また、実際には、メール送信端末２０およびメール受信端末３６は、メールを送信するための送信機能、および、メールを受信するための受信機能の両方を有するが、説明の具体化・明確化のために、メールの送信を主に行う端末がメール送信端末２０であり、メールの受信を主に行う端末がメール受信端末３６である場合を具体例とする。
【００１５】
ユーザは、メール送信端末２０を操作してメール本文を作成し、宛先アドレスを指定して、メールの送信処理を行う。
メール送信端末２０は、メール本文のデータに宛先アドレスなどのヘッダ情報を含めたメール本体のデータを、ＳＭＴＰプロトコルにより、メールサーバ２２に送信する。
メールサーバ２２は、ＳＭＴＰプロトコルにより、メール送信端末２０から送信されたメール本体のデータを受信し、制御装置２４に対して送信する。
【００１６】
制御装置２４は、メールサーバ２２から送信されたメール本体のデータを、ＳＭＴＰプロトコルにより受信し、変復調器２６に対して出力する。
変復調器２６は、制御装置２４から入力されたメール本体のデータを変調し、無線送信機２８に対して出力する。
また、変復調器２６は、回線検査のためのデータおよび再送制御のためのデータなどを生成し、無線送信機２８に対して出力する。
また、変復調器２６は、無線送信機２８から入力されたデータの復調処理を行う。
無線送信機２８は、変復調器２６から入力されたメール本体のデータ、回線検査のためのデータおよび再送制御のためのデータなどの伝送データを、無線通信回線１０を介してメール受信側ネットワーク３の無線受信機３０に対して送信する。
【００１７】
無線受信機３０は、無線送信機２８から送信された伝送データを、無線通信回線１０を介して受信し、変復調器３２に対して出力する。
また、無線受信機３０は、変復調器３２から入力された無線送信機２８に対する応答データを、無線通信回線１０を介して、メール送信側ネットワーク２の無線送信機２８に対して送信する。
変復調器３２は、制御装置３４から入力されたデータなどに基づいて、無線送信機２８に対する応答データを生成し、変調して、無線受信機３０に対して出力する。
また、変復調器３２は、無線受信機３０から入力された伝送データを復調し、制御装置３４に対して出力する。
制御装置３４は、変復調器３２から入力された伝送データに対して処理を行い、処理の結果を示すデータを、変復調器３２に対して出力する。
また、制御装置３４は、変復調器３２から入力された伝送データのうち、メール本体のデータを、ＳＭＴＰプロトコルにより、メール受信端末３６に対して送信する。
メールサーバ３６は、ＳＭＴＰプロトコルにより、制御装置３４から入力されたメール本体のデータを受信する。
メール受信端末３８は、ＰＯＰプロトコルにより、メールサーバ３６から、メール本体のデータを取得して、メール本文の内容などをユーザに閲覧させる。
【００１８】
［ハードウェア構成］
図４（Ａ）は、図３に示したメール送信端末２０、メールサーバ２２、制御装置２４、制御装置３４、メールサーバ３６およびメール受信端末３８のハードウェア構成を例示する図である。
図４（Ｂ）は、図３に示した変復調器２６、無線送信機２８、無線受信機３０および変復調器３２のハードウェア構成を例示する図である。
【００１９】
図４（Ａ）に示すように、メール送信端末２０、メールサーバ２２、制御装置２４、制御装置３４、メールサーバ３６およびメール受信端末３８はそれぞれ、メモリ１０２およびＭＰＵ１０４などを含む情報処理装置１００、キーボードおよび表示装置などを含む外部入出力装置１０６、データ通信を行うための通信装置１０８、および、ハードディスクなどの記録媒体１１２に対してデータの記録を行う記録装置１１０などから構成される。
つまり、メール送信端末２０、メールサーバ２２、制御装置２４、制御装置３４、メールサーバ３６およびメール受信端末３８は、情報処理およびデータ通信が可能なコンピュータとしての構成部分を有している。
【００２０】
図４（Ｂ）に示すように、無線送信機２８および無線受信機３０は、それぞれ、送信機１２０および受信機１２２から構成される。
送信機１２０は、変復調器２６または変復調器３２から入力されるディジタル形式のベースバンド送信信号を、アナログ形式の送信信号（伝送信号）に変換して、無線通信回線１０を介した伝送のために適した周波数の送信信号に変換し、さらに電力増幅して、アンテナ１２４を介して無線通信回線１０に対して送信する。
受信機１２２は、アンテナ１２４を介して入力される無線通信回線１０を介した伝送のために適した周波数の受信信号（伝送信号）を増幅し、ベースバンドの受信信号に変換して、さらに、アナログ形式のベースバンド受信信号を、ディジタル形式の受信信号に変換して、変復調器２６または変復調器３２に対して出力する。
変復調器２６および変復調器３２は、それぞれ、メモリ１０２およびＭＰＵ１０４（ＤＳＰ）などから構成され、信号処理用のプログラムを実行し、主に、受信信号の復調、および、送信信号の変調のための処理を行う。
【００２１】
［ソフトウェア構成］
以下、図３に示したメール送信端末２０、メールサーバ２２、制御装置２４および変復調器２６において実行される送信側装置プログラム４０を、図５（Ａ）を参照して説明する。
また、図３に示した変復調器３２、制御装置３４、メールサーバ３６およびメール受信端末３８において実行される受信側装置プログラム４２を、図５（Ｂ）を参照して説明する。
まず、送信側装置プログラム４０を、図５（Ａ）を参照して説明する。
【００２２】
図５（Ａ）は、図３に示したメール送信端末２０、メールサーバ２２、制御装置２４および変復調器２６において実行される送信側装置プログラム４０の構成を示す図である。
図５（Ａ）に示すように、送信側装置プログラム４０は、図３に示したメール送信端末２０において実行されるＭＵＡ（Mail User Agent）２０２、メールサーバ２２において実行されるＭＴＡ（Mail Transfer Agent）２２０、制御装置２４において実行される操作制御プログラム２４０および変復調器２６において実行される変復調プログラム２６０から構成される。
【００２３】
［ＭＵＡ２０２］
図５（Ａ）に示したＭＵＡ２０２は、記録媒体１１２（図４（Ａ））などを介してメール送信端末２０のメモリ１０２（図４（Ａ））にロードされ、メール送信端末２０にインストールされたＯＳ（図示せず）上でメール送信端末２０のハードウェア資源を具体的に利用して実行される（以下の各ソフトウェアについても同様）。
図５（Ａ）に示したメール送信端末２０で実行されるＭＵＡ２０２は、メール作成、閲覧および送受信機能などを有する。
つまり、ＭＵＡ２０２は、ユーザに対して、メール作成および閲覧機能などのインターフェースを、メール送信端末２０の外部入出力装置１０６を介して提供し、ユーザは、外部入出力装置１０６を操作することによりメールの本文の作成、宛先の指定、送信命令などを行なうことができる。
また、ＭＵＡ２０２は、ユーザからの送信命令を受け入れると、メール本文のデータに宛先アドレスなどのヘッダ情報を含めたメール本体のデータを、メールサーバ２２（図３）において実行されるＭＴＡ２２０に対して送信する。
【００２４】
［ＭＴＡ２２０］
ＭＴＡ２２０は、ＳＭＴＰプロトコルを用いて、ＭＵＡ２０２により送信されたメール本体のデータを受信し、制御装置２４（図３）において実行される操作制御プログラム２４０に対して送信する。
つまり、ＭＴＡ２２０は、ＳＭＴＰサーバとしての機能を有する。
【００２５】
［操作制御プログラム２４０］
操作制御プログラム２４０は、メール受信部２４２、宛先記憶部２４４および宛先送信部２４６（宛先アドレス送信手段）から構成される。
メール受信部２４２は、ＳＭＴＰプロトコルを用いて、ＭＴＡ２２０により送信されたメール本体のデータを受信する。
つまり、メール受信部２４２は、ＳＭＴＰサーバとしての機能を有し、メールデータを受信する。
また、メール受信部２４２は、受信したメール本体のデータに含まれる複数の宛先情報を、宛先送信部２４６に対して出力する。
また、メール受信部２４２は、受信したメール本体のデータを、変復調プログラム２６０に対して出力する。
【００２６】
宛先記憶部２４４は、ドメイン名とメールサーバとを対応付けて記憶する。
宛先送信部２４６は、メール受信部２４２から入力された複数の宛先情報と、宛先記憶部２４４に記憶されているドメイン名およびメールサーバとから、複数の宛先メールサーバのＩＰアドレスを取得し、変復調プログラム２６０に対して送信する。
【００２７】
［変復調プログラム２６０］
図５（Ａ）に示したように、変復調プログラム２６０は、変調部２６２、復調部２６４、メール本体送信部２６６（第１の送信手段）、回線データ送信部２６８および再送要求送信部２７０から構成される。
メール本体送信部２６６は、復調部２６４から、後述の「能力応答」が入力されたときには、一番低速の回線速度の情報を含む「能力応答」を選択する。
また、メール本体送信部２６６は、選択した「能力応答」に含まれる回線速度の情報およびデータ形式の情報を用いて、メール受信部２４２から入力されたメール本体のデータをパケット分割し、変調部２６２に対して送信する。
また、メール本体送信部２６６は、復調部２６４から誤り情報を含むデータの再送を要求する「再送要求応答」が入力されたときには、誤り情報に従って、メール本体のデータを、再送のため、１段階回線速度を低下させて、変調部２６２に対して送信する。
【００２８】
回線データ送信部２６８は、回線の状態を検査するためのデータである「回線検査データ」を、変調部２６２に対して送信をする。
具体的には、「回線検査データ」は、メール本体のデータをパケット形式で送信する際の送信速度およびデータ形式を決定するために用いられる。
再送要求送信部２７０は、誤り情報を返信するように要求を行う命令である「再送要求」を、メール本体のデータを送信後に、変調部２６２に対して送信をする。
変調部２６２は、宛先送信部２４６、メール本体送信部２６６、回線データ送信部２６８および再送要求送信部２７０から入力されたデータを変調し、無線送信機２８を介して、放送形式（ブロードキャスト）で、全ての無線受信機３０に対して送信する。
【００２９】
具体的には、変調部２６２は、宛先送信部２４６から入力された複数の宛先メールサーバのＩＰアドレスと、回線データ送信部２５０から入力された「回線検査データ」とを、無線送信機２８を介して、放送形式（ブロードキャスト）で、全ての無線受信機３０に対して送信する。
また、変調部２６２は、メール本体送信部２６６から入力されたメール本体のデータを、無線送信機２８を介して、放送形式（ブロードキャスト）で、リンクが確立された全ての無線受信機３０に対して送信する。
また、変調部２６２は、再送要求送信部２７０から入力された「再送要求」を、無線送信機２８を介して、放送形式（ブロードキャスト）で、リンクが確立された全ての無線受信機３０に対して送信する。
復調部２６４は、無線送信機２８から入力された無線受信機３０からの応答を復調し、メール本体送信部２６６に対して出力する。
【００３０】
次に、図３に示した変復調器３２、制御装置３４、メールサーバ３６およびメール受信端末３８において実行される受信側装置プログラム４２を、図５（Ｂ）を参照して説明する。
図５（Ｂ）は、図３に示した変復調器３２、制御装置３４、メールサーバ３６およびメール受信端末３８において実行される受信側装置プログラム４２の構成を示す図である。
図５（Ｂ）に示すように、受信側装置プログラム３８は、変復調器３２において実行される変復調プログラム３２０、制御装置３４において実行される操作制御プログラム３４０、メールサーバ３６おいて実行されるＭＴＡ３６０およびメール受信端末３８で実行されるＭＵＡ３８０から構成される。
【００３１】
［変復調プログラム３２０］
変復調プログラム３２０は、復調部３２２、変調部３２４、回線検査データ受信部３２６（応答手段）、タイマ３２８、再送要求受信部３３０およびメール本体受信部３３２（第２の送信手段）から構成される。
復調部３２２は、無線受信機３０を介して受信した無線送信機２８から送信された伝送データを復調し、回線検査データ受信部３２６、再送要求受信部３３０、メール本体受信部３３２または操作制御プログラム３４０に対して出力する。
具体的には、復調部３２２は、「回線検査データ」を回線検査データ受信部３２６に対して出力し、「再送要求」を再送要求受信部３３０に対して出力し、メール本体のデータメール本体受信部３３２に対して出力し、宛先ＩＰアドレスを操作制御プログラム３４０に対して出力する。
回線検査データ受信部３２６は、復調部３２２から入力された「回線検査データ」を受信する。
また、回線検査データ受信部３２６は、操作制御プログラム３４０から応答番号を受信し、応答番号≠０の場合には、タイマ３２８を起動する。
また、回線検査データ受信部３２６は、応答番号≠０の場合には、受信可能な通信速度およびデータ形式などを決定し、決定した受信可能な通信速度およびデータ形式などの情報を含む「能力応答」を、タイマ３２８の制御に従って、変調部３２４に対して出力する。
また、回線検査データ受信部３２６は、応答番号≠０の場合には、能力応答を送信しない。
【００３２】
再送要求受信部３３０は、復調部３２２から「再送要求」を受信し、タイマ３２８を起動させる。
また、再送要求受信部３３０は、メール本体受信部３３２からの入力された受信データの誤り検出結果に基づいて、受信データの誤り情報を含む「再送要求応答」または受信データに誤りがなかったことを示す「誤りなし情報」を、タイマ３２８の制御に従い、変調部３２４に対して出力する。
メール本体受信部３３２は、復調部３２２から入力されたメール本体のデータを受信し、受信データの誤り検出を行い、誤り検出結果を、再送要求受信部３３０に対して出力する。
また、メール本体受信部３３２は、メール本体のデータの受信完了後、操作制御プログラム３４０に対して出力する。
【００３３】
タイマ３２８は、操作制御プログラム３４０から入力された「応答番号」を受信し、「応答番号」を乗算した値に応じた時間だけ、タイマを設定する。
また、タイマ３２８は、回線検査データ受信部３２６および再送要求受信部３３０により起動され、タイムアップしたときに、回線検査データ受信部３２６および再送要求受信部３３０それぞれがデータの送信を行うように制御する。
変調部３２４は、回線検査データ受信部３２６から入力された「能力応答」を変調し、「回線検査データ」に対する応答として、無線受信機３０を介して、無線送信機２８に対して送信し、無線送信機２８とのリンクを確立する。
また、変調部３２４は、再送要求受信部３３０から入力された「再送要求応答」および「誤りなし情報」を変調して、無線送信機２８から送信された「再送要求」の応答として、無線受信機３０を介して、無線送信機２８に対して送信する。
【００３４】
［操作制御プログラム３４０］
操作制御プログラム３４０は、宛先受信部３４２およびメール本体送信部３４４から構成される。
宛先受信部３４２は、変復調プログラム３２０から入力された複数の宛先ＩＰアドレスを受信し、受信した複数の宛先ＩＰアドレスにメールサーバ３６のＩＰアドレスが含まれているか否かを判断する。
宛先受信部３４２は、受信した複数の宛先ＩＰアドレスにメールサーバ３６のＩＰアドレスが含まれている場合には、その含まれている位置（順序）を示す応答番号を、タイマ３２８および回線検査データ受信部３２６に対して送信する。
また、受信した複数の宛先ＩＰアドレスにメールサーバ３６のＩＰアドレスが含まれていなかった場合には、宛先受信部３４２は、応答番号＝０を、回線検査データ受信部３２６に対して送信する。
上述したように、回線検査データ受信部３２６は、応答番号＝０を受信した場合には、「能力応答」を送信しない。
【００３５】
メール本体送信部３４４は、メール本体受信部３３２から入力されたメール本体のデータを受信し、ＳＭＴＰプロトコルを用いて、ＭＴＡ３６０に対して出力する。
つまり、メール本体送信部３４４は、ＳＭＴＰサーバとしての機能を有する。      
【００３６】
［ＭＴＡ３６０、ＭＵＡ３８０］
ＭＴＡ３６０は、操作制御プログラム３４０により送信されたメール本体のデータを、ＳＭＴＰプロトコルを用いて受信する。
つまり、ＭＴＡ３６０は、ＳＭＴＰサーバとしての機能を有する。
ＭＵＡ３８０は、図５（Ａ）に示したＭＵＡ２０２と同様の機能を有する。
また、ＭＵＡ３８０は、ＰＯＰプロトコルを用いて、ＭＴＡ３６０から、メールを受信する。
【００３７】
［メール送受信システム１の全体動作］
以下、メール送受信システム１の全体動作を、図６および図７を用いて説明する。
図６は、図３に示したメール送受信システム１の全体的な動作（Ｓ１０）を示す通信シーケンス図である。
図７は、図６に示したメール本体のデータの送信処理（Ｓ２０）を示す通信シーケンス図である。
【００３８】
図６に示すように、ステップ１００（Ｓ１００）において、メール送信端末２０において作成されたメール本体のデータは、ＳＭＴＰプロトコルにより、メールサーバ２２に送信される。
ステップ１０２（Ｓ１０２）において、メールサーバ２２は、ＳＭＴＰプロトコルにより、メール本体のデータを、制御装置２４に対して送信する。
なお、実際には、メールサーバ２２と制御装置２４との間では、図１（Ａ）に示した通信シーケンスが行われている。
ステップ１０４（Ｓ１０４）において、制御装置２４は、受信したメール本体のデータに基づいて、宛先メールサーバのＩＰアドレス（宛先ＩＰアドレス）を取得する。
ステップ１０６（Ｓ１０６）において、制御装置２４は、受信したメール本体のデータおよび取得した宛先ＩＰアドレスを、変復調器２６に対して出力する。
【００３９】
以下、図６に示したメール本体のデータの送信処理（Ｓ２０）を、図７を参照して説明する。
ステップ２００（Ｓ２００）において、変復調器２６は、複数の宛先ＩＰアドレスを含んだ「回線検査データ」を、放送形式で、無線受信機３０−１，無線受信機３０−２に対して送信する。
なお、「回線検査データ」は、例えば、５種類の通信速度を検査するための情報を含む。
また、ここでは、複数の宛先ＩＰアドレスは、メールサーバ３６−１（図３）およびメールサーバ３６−２のアドレスを含む。
【００４０】
ステップ２０２（Ｓ２０２）において、変復調器３２−１は、受信した複数の宛先ＩＰアドレスに、メールサーバ３６−１のアドレスが含まれているので、設定したタイマがタイムアップしたタイミングで、通信速度＝９６００ｂｐｓ，データ型＝ｓｈｏｒｔでの通信が可能であることを示す「能力応答」を送信し、変復調器２６とのリンクを確立する。
ステップ２０４（Ｓ２０４）において、変復調器３２−２は、受信した複数の宛先ＩＰアドレスに、メールサーバ３６−２のアドレスが含まれているので、設定したタイマがタイムアップしたタイミングで、通信速度＝４８００ｂｐｓ，データ型＝Ｌｏｎｇでの通信が可能であることを示す「能力応答」を送信し、変復調器２６とのリンクを確立する。
【００４１】
ステップ２０６（Ｓ２０６）において、変復調器２６は、受信した「能力応答」に含まれている通信速度のうち一番低い通信速度で、パケット分割されたメール本体のデータを、放送形式で送信する。
つまり変復調器２６は、通信速度＝４８００ｂｐｓ，データ型＝Ｌｏｎｇで、メール本体のデータを送信する。
【００４２】
ステップ２０８（Ｓ２０８）において、変復調器２６は、「再送要求」を、放送形式で送信する。
ステップ２１０（Ｓ２１０）において、変復調器３２−１は、設定したタイマがタイムアップしたタイミングで、パケット２に誤りがあることを示す「再送要求応答」を送信する。
ステップ２１２（Ｓ２１２）において、変復調器３２−２は、設定したタイマがタイムアップしたタイミングで、パケット３に誤りがあることを示す「再送要求応答」を送信する。
【００４３】
ステップ２１４（Ｓ２１４）において、変復調器２６は、再送要求のあったパケットデータ（パケット２，３）を、一段階低い通信速度で、放送形式で再送する。
つまり、変復調器２６は、通信速度＝２４００ｂｐｓ，データ型＝Ｌｏｎｇで、メール本体のデータを送信する。
ステップ２１６（Ｓ２１６）において、変復調器２６は、「再送要求」を、放送形式で、送信する。
ステップ２１８（Ｓ２１８）において、変復調器３２−１は、設定したタイマがタイムアップしたタイミングで、受信したパケットに誤りがなかったことを示す「誤りなし情報」を返信する。
ステップ２２０（Ｓ２２０）において、変復調器３２−２は、設定したタイマがタイムアップしたタイミングで、受信したパケットに誤りがなかったことを示す「誤りなし情報」を返信する。
ステップ２２２（Ｓ２２２）において、変復調器２６は、変復調器３２−１，変復調器３２−２との回線解除を行なう。
【００４４】
ステップ１０８（Ｓ１０８）；図６において、変復調器３２は、メール本体のデータを制御装置３４に対して送信する。
ステップ１１０（Ｓ１１０）において、制御装置３４は、ＳＭＴＰプロトコルにより、メール本体のデータを、メールサーバ３６に対して送信する。
ステップ１１２（Ｓ１１２）において、メール受信端末３８は、ＰＯＰプロトコルにより、メール本体のデータを、メールサーバ３６から取得する。
【００４５】
なお、例えば、上記再送回数は、最大で２０回の設定ができるように設定されてもよい。
また、再送を繰り返しても誤りが発生する場合は、通信を自動的に切断し、所定の時間の経過後に、再度通信を自動的に行ってもよい。
また、上記再送時には、受信に成功した無線受信機３０（変復調器３２）については、宛先からはずすように設定されてもよい。
【００４６】
以上説明したメール送受信システム１によれば、無線通信回線１０においては、ＳＭＴＰプロトコルを用いず、メール本体のデータがパケット形式で送信されるので、低速な無線回線で、効率よくメールの送信ができる。
また、無線送信機２８から、複数の無線受信機３０に対して、メール本体のデータがマルチキャストで送信されるので、通信時間を短縮することができる。
また、マルチキャスト送信において、再送制御も行われるので、データの確達を補償することができる。
また、メール再送時には、通信速度を１段階落とすことにより、より確実にメールを再送することができる。
【図面の簡単な説明】
【００４７】
【図１】（Ａ）は、ＳＭＴＰプロトコルによるメール送信処理を例示する通信シーケンス図であり、（Ｂ）は、無線通信を介した場合におけるＳＭＴＰプロトコルによるメール送信処理を例示する通信シーケンス図であり、（Ｃ）は、無線装置間では、ＳＭＴＰプロトコルを用いたメールの送受信がなされないメール送信処理を例示する通信シーケンス図である。
【図２】同一メールを複数の無線装置に送信する場合を例示する図であって、（Ａ）は、同一メールを１通ずつ複数の無線装置に送信する場合を例示し、（Ｂ）は、同一メールを１回で、複数の無線装置に送信する場合を例示する。
【図３】本発明に係るメール送受信システムの構成を示す図である。
【図４】（Ａ）は、図３に示したメール送信端末、メールサーバ、制御装置およびメール受信端末のハードウェア構成を例示する図である。（Ｂ）は、図３に示した変復調器、無線送信機のハードウェア構成を例示する図である。
【図５】（Ａ）は、図３に示したメール送信端末、メールサーバ、制御装置および変復調器において実行される送信側装置プログラムの構成を示す図である。（Ｂ）は、図３に示した変復調器、制御装置、メールサーバおよびメール受信端末において実行される受信側装置プログラムの構成を示す図である。
【図６】図３に示したメール送受信システムの全体的な動作（Ｓ１０）を示す通信シーケンス図である。
【図７】図６に示したメール本体のデータの送信処理（Ｓ２０）を示す通信シーケンス図である。
【符号の説明】
【００４８】
１・・・メール送受信システム、１０・・・無線通信回線、２００・・・ネットワーク、２０・・・メール送信端末、２２・・・メールサーバ、２４・・・制御装置、２６・・・変復調器、２８・・・無線送信機、３００・・・ネットワーク、３０・・・無線受信機、３２・・・変復調器、３４・・・制御装置、３６・・・メールサーバ、３８・・・メール受信端末、２４６・・・宛先送信部、２６６・・・メール本体送信部、３２６・・・回線検査データ受信部、３３２・・・メール本体受信部
【図１】
2010079335.tif 000003
【図２】
2010079335.tif 000004
【図３】
2010079335.tif 000005
【図４】
2010079335.tif 000006
【図５】
2010079335.tif 000007
【図６】
2010079335.tif 000008
【図７】
2010079335.tif 000009